(57)【特許請求の範囲】
【請求項１】
底面部と、前記底面部の周囲に設けられて上方に延在する囲い壁とを有し、断熱材からなる防水パンと、
前記防水パンの前記底面部の下方に設けられた支持部材と、
前記防水パンの前記底面部の上方に設けられ、浴槽水を貯留可能な内槽部と、前記内槽部の上端縁部の周囲に設けられたフランジ部と、前記フランジ部の上に設けられ壁パネルを設置するための壁設置部とを有する浴槽と、
前記浴槽のレベル調整を行うための高さ調節機構と、
を備え、
前記防水パンの前記囲い壁は前記底面部から前記浴槽の前記フランジ部の近傍まで延在し、前記囲い壁の上端部は前記フランジ部に対して離間し、前記高さ調節機構が最下位置にある時の前記浴槽の前記フランジ部より低い位置に位置することを特徴とする浴室ユニット。
【請求項２】
前記囲い壁の前記上端部と、前記フランジ部との間に弾性変形可能なパッキンが介在されていることを特徴とする請求項１記載の浴室ユニット。
【請求項３】
前記フランジ部の裏側には下方に突出した突出部が設けられ、
前記パッキンは前記囲い壁の前記上端部に貼着されており、
前記パッキンが前記突出部に押し潰されることで、前記フランジ部と前記囲い壁との間の気密性が確保されることを特徴とする請求項２記載の浴室ユニット。
【発明の詳細な説明】
【技術分野】
【０００１】
本発明は、深底形の防水パンとこの内側に設置される浴槽を備えた浴室ユニットに関する。
【背景技術】
【０００２】
従来、浴槽側に設置する防水パンを断熱材から構成し深底形にすることで浴槽の保温性向上を図ったものがある（例えば特許文献１）。また、特許文献１には、浴槽のフランジ部の上に壁パネルを設置する構造が開示されている。
【特許文献１】特開２００７−９２３４６号公報
【発明の開示】
【発明が解決しようとする課題】
【０００３】
特許文献１では、防水パンの囲い壁を浴槽とほぼ同じ高さに形成し、その囲い壁の上部に形成された凹溝状嵌合部に浴槽のフランジ部の垂下片を嵌合させた構造であるため、寸法誤差や組み付け誤差などにより防水パンと浴槽との高さ関係がずれると、防水パンの囲い壁に浴槽や浴槽フランジ上の壁パネルの荷重が加わってしまう。断熱材が用いられた囲い壁は材料自体の強度がそれほど高くないため、上記荷重に耐え得る強度を確保するには厚くしなければならず、その分材料コストの増大をまねいてしまう。
【０００４】
本発明は上述の問題に鑑みてなされ、防水パンの囲い壁に浴槽側から過大な荷重が加わらないようにした浴室ユニットを提供する。
【課題を解決するための手段】
【０００５】
本発明の一態様によれば、底面部と、前記底面部の周囲に設けられて上方に延在する囲い壁とを有し、断熱材からなる防水パンと、前記防水パンの前記底面部の下方に設けられた支持部材と、前記防水パンの前記底面部の上方に設けられ、浴槽水を貯留可能な内槽部と、前記内槽部の上端縁部の周囲に設けられたフランジ部と、前記フランジ部の上に設けられ壁パネルを設置するための壁設置部とを有する浴槽と、前記浴槽のレベル調整を行うための高さ調節機構と、を備え、前記防水パンの前記囲い壁は前記底面部から前記浴槽の前記フランジ部の近傍まで延在し、前記囲い壁の上端部は前記フランジ部に対して離間し、前記高さ調節機構が最下位置にある時の前記浴槽の前記フランジ部より低い位置に位置することを特徴とする浴室ユニットが提供される。
【発明の効果】
【０００６】
本発明によれば、防水パンの囲い壁に浴槽側から過大な荷重が加わらないようにした浴室ユニットが提供される。
【発明を実施するための最良の形態】
【０００７】
以下、図面を参照し、本発明の実施形態について説明する。
【０００８】
図１は、本発明の実施形態に係る浴室ユニットの要部構成の平面図である。  
図２は、同浴室ユニットにおける浴槽の斜視図である。  
図３は、図１におけるＡ−Ａ拡大断面図である。
【０００９】
建築物内において浴室ユニットが設置されるスペースは、洗い場スペースと浴槽設置スペースとに大きく分けられる。洗い場スペースには洗い場床２が設置される。浴槽設置スペースは洗い場スペースに隣接し、その建築物床面上には、図３に示すように支持部材３が設置され、その支持部材３の上方に防水パン４と浴槽１が設置される。
【００１０】
支持部材３は、柱状の金属材（鋼材）を縦横に組み合わせて構成され、浴槽水を溜めた状態で且つ入浴者が入っている状態の浴槽荷重を支えるのに十分な強度及び耐久性を有する。
【００１１】
支持部材３の上に防水パン４が支持されている。防水パン４は、防水パン４の外部に対して湯水を漏出させない防水性、および浴槽１（貯留された湯）の保温性を高める断熱性を有し、例えば発泡系の断熱材からなる。
【００１２】
防水パン４は、支持部材３の上に支持される底面部２１と、この底面部２１の周囲に設けられて上方に延在する囲い壁２２とを有する深底パン状に形成されている。
【００１３】
防水パン４の底面部２１の上方であって且つ囲い壁２２の内側に浴槽１が設置されている。浴槽１は、浴槽水を貯留可能な内槽部１１と、内槽部１１の上端縁部の周囲に設けられたフランジ部１２とを有する。
【００１４】
図１に示すように、浴槽１は、略四角形もしくは長円形状の平面形状を有し、一対の長辺側浴槽壁のうちの一方を洗い場側向けて洗い場の隣に設置される。浴槽１のフランジ部１２において、洗い場側以外の３辺部の上には壁設置部１３が設けられている。壁設置部１３は、フランジ部１２の外周側の縁部に設けられた例えばアングル部材であり、その壁設置部１３に、図２において２点鎖線で示す壁パネル５０の下端が支持される。すなわち、本実施形態では、浴槽設置空間側の壁パネル５０は、防水パン４ではなく、浴槽１に支持される。なお、図示しないが、洗い場側の壁パネルは洗い場床２の縁部の上に支持される。
【００１５】
浴槽１の底部１５における例えば四隅近傍には、図３に示すように支持脚１６が設けられている。浴槽１の支持脚１６は、防水パン４の上ではなく、防水パン４とは別に設けられた浴槽脚受け部材３０の上に載置支持される。  
図４は、浴槽脚受け部材３０の上に浴槽１の支持脚１６が支持された状態の拡大断面図を示す。
【００１６】
防水パン４の底面部２１には貫通孔部２１ａが形成され、浴槽脚受け部材３０は、その貫通孔部２１ａに水密に取り付けられている。具体的には、浴槽脚受け部材３０は、防水パン４の底面部２１に固定された支持部材設置部３１と、この支持部材設置部３１に対して螺着して取り付けられた浴槽支持脚載置部３２とを有する。浴槽脚受け部材３０は、浴槽１の支持脚１６の個数に対応した個数設けられる。
【００１７】
支持部材設置部３１の下端部は、防水パン４の底面部２１の裏側に露出し、支持部材３上に載置支持されている。浴槽支持脚載置部３２の上端部は防水パン４の底面部２１の上方の空間に露出し、その浴槽支持脚載置部３２の上端部の上に浴槽１の支持脚１６が載置支持される。
【００１８】
すなわち、支持部材３の上に浴槽脚受け部材３０が支持され、この浴槽脚受け部材３０の上に浴槽１の支持脚１６が支持される。したがって、浴槽１、そのフランジ部１２の上に支持された壁パネル５０、内槽部１１に溜めた湯水、入浴者などの荷重は、浴槽脚受け部材３０を介して支持部材３に伝わる。浴槽脚受け部材３０は、例えば発泡系断熱材が用いられている防水パン４より強度が大きい樹脂や金属材料から構成されるため、上記荷重に対する強度及び耐久性を十分備えている。
【００１９】
浴槽１の支持脚１６は防水パン４の底面部２１の上には載っていないため、前述した荷重は防水パン４にはほとんど加わらない。防水パン４は、支持部材３の上に支持されて浴槽１の底部１５の裏側及び浴槽壁の周囲を囲んで保温性を高める機能および防水性の機能だけを担えばよく、上述した荷重に耐え得る強度及び耐久性は必要ない。したがって、防水パン４の薄型化を図れ、その分使用材料を低減でき、コスト低減が図れる。
【００２０】
また、浴槽支持脚載置部３２と支持部材設置部３１とは、各々の径方向の中心を鉛直直線上に位置させて互いに組み付けられているため、浴槽１等の荷重が浴槽脚受け部材３０を介して、防水パン４の底面部２１に対して斜め方向に加わる成分を抑制して、効率よく全荷重成分を支持部材３に伝達させることができる。
【００２１】
なお、本実施形態の構造によれば、断熱材に限らず、比較的強度の小さな材料であっても、厚くすることなく防水パン４として使用可能となり、材料選択の自由度が広がり、防水パン４に求める機能により適した、あるいはより安価な材料の利用が図れる。
【００２２】
浴槽脚受け部材３０は高さ調節機構を有する。具体的には、図４に示すように、浴槽支持脚載置部３２が支持部材設置部３１に対して螺着され（ねじ込まれ）、浴槽支持脚載置部３２を支持部材設置部３１に対して回すことで、浴槽支持脚載置部３２が昇降し、その高さ位置を調節可能となっている。浴槽支持脚載置部３２の高さ位置が調節可能ということは、その上に支持脚１６を介して載置支持される浴槽１のレベリング調整（浴槽１が設置面に対して傾かず水平に置かれるようにする水平出しなど）が行える。特に浴槽１のフランジ部１２の上に壁パネル５０が載せられる構造においては浴槽１が傾いて設置されると、その傾きが壁パネル５０の組み付けにまで影響してしまうため、浴槽１のレベリング調整は重要である。
【００２３】
浴槽支持脚載置部３２には、防水パン４の底面部２１の上方に引き出された図示しない紐が連結されており、その紐を引っ張って浴槽支持脚載置部３２を回すことで、防水パン４の底面部２１の上方から浴槽支持脚載置部３２の昇降操作が可能となる。これにより、防水パン４を設置した状態でその上方からの操作で浴槽１のレベリング調整が可能なため、施工性が向上する。
【００２４】
浴槽１の保温性をより高めるため、浴槽１の底部１５の裏側に断熱材を貼り付けることがあり、この場合には、浴槽１の底部１５と防水パン４の底面部２１との間の空間が非常に狭まり、その空間に手を差し入れて、特に洗い場床２側から見て奥に位置する部分の高さ調整機構を工具等を使って回すのは困難になる。しかし、本実施形態では、紐を引っ張ることで浴槽支持脚載置部３２を回動させて高さ調節を行うので、浴槽１を設置した後でも、浴槽１の支持脚１６を浴槽支持脚載置部３２から少し浮かせれば浴槽支持脚載置部３２の回動による昇降操作は可能となり、作業性に優れている。
【００２５】
再び図３を参照すると、防水パン４において、洗い場側に位置するもの以外の囲い壁２２は、底面部２１から浴槽１のフランジ部１２の近傍まで延在し、それら囲い壁２２によって浴槽壁を洗い場側以外の３方向から囲んで浴槽１の保温効果を高めている。
【００２６】
囲い壁２２の上端部２２ａは浴槽１のフランジ部１２に対して下方に離間しているため、寸法誤差や組み付け誤差などによりフランジ部１２と囲い壁２２との高さ関係がばらついても、囲い壁２２とフランジ部１２とが接触したり係合したりすることがなく、浴槽１、そのフランジ部１２の上に支持された壁パネル５０などの荷重が囲い壁２２に加わらない。
【００２７】
また、囲い壁２２の上端部２２ａは、浴槽支持脚載置部３２が最下位置にある時の浴槽１のフランジ部１２より低い位置に位置しているため、浴槽支持脚載置部３２の昇降に伴って囲い壁２２がフランジ部１２に接触したり係合したりすることもない。
【００２８】
したがって、囲い壁２２には、上述した荷重に耐え得る強度及び耐久性は必要なく、これにより、囲い壁２２の薄型化を図れ、その分使用材料を低減でき、コスト低減が図れる。
【００２９】
前述したように、囲い壁２２は浴槽１のフランジ部１２に対して常に離間した状態にあるが、それら両部材間には、弾性変形可能であり且つ気密性を有する例えばゴム材料からなるパッキン４０が介在されている。具体的には、フランジ部１２の裏側には下方に突出した突出部１４が設けられ、パッキン４０は囲い壁２２の上端部２２ａの上に貼着されている。
【００３０】
図５（ａ）に示す自然状態にあるパッキン４０は、浴槽１が設置された状態で図５（ｂ）に示すように上方から突出部１４に押し潰されて、これにより、フランジ部１２と囲い壁２２との間の隙間が気密に閉塞され、浴槽１の外側と囲い壁２２の内側との間の空気の熱が外部に逃げるのを抑制して、浴槽１の保温効果をより高めることができる。
【００３１】
パッキン４０は弾性変形可能であるので、浴槽支持脚載置部３２の昇降による浴槽１の高さ位置の調節に伴う突出部１４の上下動は許容される。
【００３２】
なお、突出部１４を設けずに、フランジ部１２の裏面がパッキン４０に対して面と面とで接触する構造としてもよいが、面と面との接触では反力が強すぎてフランジ部１２とパキン４０との密着性が不十分となり、気密性が損なわれる可能性も考えられる。この点、突出部１４によって、パッキン４０に対して局部的に押圧力を与える構成とすれば、突出部１４とパッキン４０との間の隙間を確実に気密閉塞することができる。
【図面の簡単な説明】
【００３３】
【図１】本発明の実施形態に係る浴室ユニットの要部構成の平面図。
【図２】同浴室ユニットにおける浴槽の斜視図。
【図３】図１におけるＡ−Ａ拡大断面図。
【図４】図３における要部の拡大図。
【図５】浴槽フランジ部の突出部によって防水パンの囲い壁上端部に設けたパッキンが押し潰される様子を示した模式図。
【符号の説明】
【００３４】
１…浴槽、２…洗い場床、３…支持部材、４…防水パン、１１…内槽部、１２…フランジ部、１３…壁設置部、１４…突出部、１６…浴槽の支持脚、２１…防水パンの底面部、２２…囲い壁、３０…浴槽脚受け部材、３１…浴槽支持脚載置部、３２…支持部材設置部、４０…パッキン、５０…壁パネル
【図１】
0005120771.tif 000002
【図２】
0005120771.tif 000003
【図３】
0005120771.tif 000004
【図４】
0005120771.tif 000005
【図５】
0005120771.tif 000006